(57)【要約】      （修正有）【課題】使用者に線材を独立収納させることができ、従来の絡まる問題を発生しない線材収納装置を提供する。【解決手段】線材収納装置１は、本体１０、収容領域２０、嵌合溝３０及び嵌合ブロックを含む。本体１０外側辺に溝を設け、溝は、本体１０の周囲を囲う。収容領域２０は、本体１０内側に設置され、且つ収容領域２０辺縁は、通口２１を設け、通口２１は、溝と収容領域２０を接続する。嵌合溝３０は、本体１０の一側に設けられる。嵌合ブロックは、本体１０の他側に設けられる。線材の一端は、収容領域２０内に安置され、通口２１を介して溝に進入した後、溝に沿って巻き付けることができる。線材を収納後、各線材は、その他の物品と絡まる状況を発生せず、携帯及び収納に便利な利点を有する。【選択図】図２Ａ
0003198215.tif 000002
【実用新案登録請求の範囲】
【請求項１】
本体と、
該本体外側辺に設けられ、該本体の周囲を囲う溝と、
該本体内側に設置され、且つ辺縁に通口が設けられ、該通口は該溝と接続される収容領域と、
該本体の一側に設けられる嵌合溝と、
該本体の他側に設けられる嵌合ブロックと、
を含み、線材の一端は、該収容領域内に安置され、該通口を介して該溝に進入した後、該溝に沿って巻き付けることができる線材収納装置。
【請求項２】
前記収容領域は、更に、繰り返し充放電可能電池を結合する請求項１に記載の線材収納装置。
【請求項３】
前記本体は、更に脚構造を枢着し、該本体上に該脚構造の他側に相対してソケットを枢着する請求項１に記載の線材収納装置。
【請求項４】
前記本体は、更に、脚構造収納槽及びソケット収納槽を設ける請求項３に記載の線材収納装置。
【請求項５】
前記溝の底側は、ステップ状に形成される請求項１に記載の線材収納装置。
【請求項６】
前記収容領域は、線ヘッド収納ブロックを設ける請求項１に記載の線材収納装置。
【請求項７】
前記本体外に内向きに線ヘッド嵌合溝を凹設する請求項１又は請求項６に記載の線材収納装置。
【請求項８】
前記溝内に少なくとも２つの係止ブロックを設ける請求項７に記載の線材収納装置。
【請求項９】
前記通口近傍に２つの浅溝を設ける請求項７に記載の線材収納装置。
【請求項１０】
複数の請求項１に記載の線材収納装置が堆積してなり、任意の１つの該線材収納装置の該嵌合ブロックによって他の線材収納装置の嵌合溝に挿入接続する線材収納装置組。
【考案の詳細な説明】
【技術分野】
【０００１】
本考案は、線材収納装置に関し、特に、線材を巻き付け方式により収納を完成させることができる装置に関する。
【背景技術】
【０００２】
電子製品は、生活に対して利便性を大幅に向上させており、人々の電子製品に対する信頼性が向上している。そのうち、該電子製品の周辺製品は、多くの線材、例えば、イヤホン、信号伝送線等を含む。
【０００３】
従来の線材収納方法は、いずれも折り畳んだ後に袋の中に収容するか、その他の線材又はゴム縄を利用して束ねるというものである。しかしながら、別途の袋を使用して収容する場合、ケーブルの整理に不便であり、往々にして袋の中から引き出す時、絡まった状態を脱出するために改めてケーブルを整理する必要がある。
【０００４】
束ねる方式を利用して整理収納を行う場合、絡まる問題が発生し易いだけでなく、外に露出した線材がその他の物品と交錯して紛らわしくなり易く、袋を使用してその他の物体と接触することを回避するよう制限する必要がある。
【０００５】
上記内容から分かるように、通常、携帯使用するイヤホンのケーブル以外に、充電ケーブル、信号接続線等、いずれも携帯して外出する可能性があるので、如何に線材を収納して携帯に便利にするかは、現段階で必要な設計となっている。
【先行技術文献】
【特許文献】
【０００６】
【特許文献１】特開平９−１３６７６７号公報
【考案の概要】
【考案が解決しようとする課題】
【０００７】
従来技術が線材を収納できない欠陥を克服するため、本考案は、使用者に線材を独立収納させることができ、従来の絡まる問題を発生することがない線材収納装置を提供する。
【課題を解決するための手段】
【０００８】
本考案の線材収納装置は、本体、収容領域、嵌合溝及び嵌合ブロックを含む。本体外側辺に溝を設け、該溝は、該本体の周囲を囲う。収容領域は、該本体内側に設置され、且つ該収容領域辺縁は、通口を設け、該通口は、該溝と該収容領域を接続する。嵌合溝は、本体の一側に設けられる。嵌合ブロックは、該本体の他側に設けられる。線材の一端は、該収容領域内に安置され、該通口を介して該溝に進入した後、該溝に沿って巻き付けることができる。
【０００９】
線材は、溝に沿って巻き付けられるので、その他の物品と絡まる状況を発生することがなく、線材を整理することに便利である。また、扁平な設計は、携帯及び収納し易いという利点を有し、バッグやケース等の辺縁に安置することができる。
【００１０】
好ましくは、収容領域は、更に、繰り返し充放電可能電池を結合する。
【００１１】
好ましくは、本体は、更に脚構造を枢着する。全体を起立させることができ、更に、物品を寄りかからせて使用させることができる。
【００１２】
好ましくは、本体は、該脚構造の他側に相対してソケットを枢着する。携帯電話又はモバイル装置の安置ソケットとすることができる。
【００１３】
好ましくは、本体は、更に、脚構造収納槽及びソケット収納槽を設ける。これにより、脚構造及びソケットは、本体に収納することができる。
【００１４】
好ましくは、溝底側は、ステップ状に形成される。これにより、線材を巻き付ける時、更に、整え揃えることができ、交錯堆積の状況を発生することがない。
【００１５】
好ましくは、該収容領域は、線ヘッド収納ブロックを設置し、線材の一端の線ヘッドの位置を固定することに用いる。
【００１６】
好ましくは、該本体外に内向きに線ヘッド嵌合溝を凹設する。線材の一端を嵌合することに用いる線ヘッドの位置に用いる。
【考案の効果】
【００１７】
本考案の更なる線材収納装置組は、複数の線材収納装置が堆積してなり、そのうち、任意の該線材収納装置の該嵌合ブロックにより他の線材収納装置の該嵌合溝に挿入接続される。これにより、使用者が異なる線材を整理することに便利であることができ、統一して収納整理することができ、整理の利便性を向上する。
【図面の簡単な説明】
【００１８】
【図１】本考案の実施例の使用状態説明図である。
【図２Ａ】本考案の実施例の立体説明図である。
【図２Ｂ】本体が楕円を呈し、複数が堆積された立体説明図である。
【図３】図２ＡのＡＡ断面の断面説明図である。
【図４Ａ】２つの線材収納装置が線材収納装置組に組み合わさる動作説明図である。
【図４Ｂ】嵌合溝及び嵌合ブロックが異なる位置にある立体説明図である。
【図５】図４Ａが示す実施例の立体説明図である。
【図６】図５ＢＢ断面の断面説明図である。
【図７】溝底側のステップ状を呈する断面説明図である。
【図８Ａ】電池を結合する立体動作説明図である。
【図８Ｂ】電池を結合するもう１つの視角の立体説明図である。
【図９】脚構造を結合した立体説明図である。
【図１０】ソケットを結合した立体説明図である。
【図１１】安置用装置の側面説明図である。
【図１２】線ヘッド収納ブロックを結合した立体説明図である。
【図１３】もう１つの線ヘッド収納ブロックを結合した立体説明図である。
【図１４】線ヘッド嵌合溝を設置した立体説明図である。
【図１５】線ヘッドを線ヘッド嵌合溝に嵌合した立体説明図である。
【図１６】２つの大きさの異なる線材収納装置を線材収納装置組に組み合わせる図である。
【図１７】線ヘッド収納ブロックと線ヘッド嵌合溝を結合した立体説明図である。
【図１８】本体が方形を呈する立体説明図である。
【図１９】図１８が示す本体の他側の立体説明図である。
【図２０】方形本体を円形本体に結合する動作説明図である。
【図２１】係止ブロックを結合した立体説明図である。
【図２２】線材が収納された断面説明図である。
【図２３Ａ】線材が収納使用されたもう１種の状態説明図である。
【図２３Ｂ】線材が収納され、Ｃ型留め具を利用して固定されたもう１種の状態説明図である。
【図２４】浅溝の位置を示す立体説明図である。
【図２５】線材が浅溝を有する本体に巻き付けられる立体説明図である。
【図２６】図２５のもう１つの角度の立体説明図である。
【図２７】線材を引っ張り出した後に本体を通過させる状態説明図である。
【図２８】本体が２つの通口を有する立体説明図である。
【図２９】本体が３つの通口を有する立体説明図である。
【図３０】線材を本体に巻き付け、固定蓋の連結に運用する説明図である。
【考案を実施するための形態】
【００１９】
図面及び後述の実施方式を参照後、当業者が本考案のその他の目的、及び本考案の技術手段及び実施形態を理解できるようにする。
【００２０】
図１〜図３を参照し、本実施例の線材収納装置１は、本体１０と、収容領域２０と、嵌合溝３０と、嵌合ブロック４０と、を含む。
【００２１】
そのうち、本体１０の外側辺に溝１１を設け、該溝１１は、該本体１０の周りに巻き付く。線材は、該溝１１に沿って本体１０に巻き付くことができる。収容領域２０は、該本体１０内側に設置され、該収容領域２０辺縁は、通口２１を設置し、該通口２１は、該溝１１及び該収容領域２０を接続する。線材Ｌの一端は、該収容領域２０内に安置され、該通口２１を介して溝１１に入り、溝１１を経由して巻き付く。嵌合溝３０は、該本体１０の一側に設けられる。嵌合ブロック４０は、本体１０の他側に設けられる。
【００２２】
上記内容から分かるように、本実施は、線材Ｌの少なくとも一端を内に制限させ、線材Ｌを溝１１に従って巻き付けを行い、これにより、線材Ｌは、溝１１によりその位置を制限する。また、線材Ｌは、本体１０内に保護され、これにより、その他の物品と絡まることがなく、収納携帯に便利な利点を有する。従来技術が容易に絡まる問題を克服することができる。また、図２Ｂに示すように、本体１０は、楕円形の外観であることもでき、その堆積の方式に影響を及ぼすことがない。
【００２３】
図８Ａに示すように、収容領域２０内に更に繰り返し充放電可能電池Ｂを結合する。この繰り返し充放電可能電池Ｂは、該収容領域２０内に活動可能に挿入設置され、装置が充電を行う時、線材を介して該充放電電池Ｂ上の接続口に接続し、充電の作業を開始することができる。また、この繰り返し充放電可能電池Ｂの外形は、線材のＬプラグを安置させる溝体を対応設置し（図８Ｂ参照）、線材のＬプラグ固定位置を補助できる利点を有する。
【００２４】
図９〜図１１に示すように、本体１０は、更に、脚構造５０を枢着し、脚構造５０が展開時、本体１０を寄りかけて起立させることができ、その他の物品を寄りかけさせることができる。また、脚構造５０は、伸縮可能な設計であり、より良好な支持効果を向上する。
【００２５】
更には、本体１０の脚構造５０に相対する他側にソケット６０を枢着し、該ソケット６０が展開時、物品、例えば、電子装置Ｍを安置することができ、電子装置Ｍに起立状態を呈現させ、図１１に示すようである。
【００２６】
また、本体１０は、脚構造収納槽１０１とソケット収納槽１０２を更に設ける。これにより、脚構造５０とソケット６０を使用する時、脚構造５０とソケット６０を本体１０内に収納させることができる。
【００２７】
また、図７に示すように、溝１１底側をステップ状に形成させることができる。ステップ状の設置により、線材を巻き付ける時、配列し易くて更に円滑になるようにし、交錯配列により線材Ｌが巻き付ける時の空間の占拠を減少し、一部の線材Ｌを溝１１外に突出させる。
【００２８】
図４〜図６に示すような線材収納装置組は、複数の線材収納装置１が堆積してなり、そのうち、任意の線材収納装置１の嵌合ブロック４０により他の線材収納装置１の嵌合溝３０に挿入接続し、挿入後に密着を形成し、２つの線材収納装置１を結合することができる。複数本の線材Ｌを収納することにより、統一集中管理でき、各自が独立することによる収納時の困難を起こすことがない。
【００２９】
また、図４Ｂに示すように、嵌合ブロック４０及び嵌合溝３０は、位置と大きさを相互に対応させるだけでよく、図１に示す位置に限定しない。更に、図１６を参照し、線材収納装置１の大きさ形状は、異なることができ、嵌合ブロック４０と嵌合溝３０がただ位置を相互に対応させて嵌合を完成させるだけでよい。
【００３０】
また、図１２及び図１３に示すように、収容領域２０に線ヘッド７０を設け、該線ヘッド収納ブロック７０上に固定溝７１を凹設し、該固定溝７１は、線ヘッドを安置させるか嵌合させることができる。
【００３１】
図１４及び図１５に示すように、該本体１０外に内向きに線ヘッド嵌合溝１０３を凹設し、これにより、線ヘッドを上に嵌合することができ、勝手に振動することがなく、言い換えれば、線材Ｌが本体１０から勝手に離脱することがなく、収納安置に更に便利である。
【００３２】
更に、図１７を参照し、それは、線ヘッド収納ブロック７０と線ヘッド嵌合溝１０３の立体説明図であり、線材Ｌの両端線ヘッドを収納する位置を固定することを達成し、携帯利便性を更に向上する。
【００３３】
また、本体１０は、図１８に示すような方型であることができ、長方形のリモートコントローラを有する線材を組み合わせて収納し、リモートコントローラを方型のうち一側に位置させ、本体１０外に突出せず、当然ながら、本体１０は、図面中の円形及び方形以外に、任意の形状であることができ、例えば、楕円形であることができる。図１９に示すように、その背面に対応する嵌合溝３０を依然として有し、その他の本体１０と相互に組み合わさり、即ち、図２０に示すように、その方形の本体１０は、該円形の本体１０上に堆積することができ、嵌合溝３０に嵌合ブロック４０を挿入することにより相互の相対位置を固定することができる。
【００３４】
図２１及び図２２に示すように、そのうち、本体１０の溝１１内に少なくとも２つの係止ブロック１０４を設け、線材Ｌの巻き付け後、線材Ｌの最も外回りに該係止ブロック１０４の辺縁に係止し、線材Ｌが本来の弾性回復力により線材Ｌの最も外回りが本体１０外に露出するようにする。また、更に図２３Ａに示すように、線材Ｌの両端を収容領域２０に合わせて入れ、線材Ｌを本体１０に直接重ね合わせて巻き付け、最末端にハンドル形状を形成し、使用者が持って使用することに便利にすることができ、上一段に記載の係止ブロック１０４の設置を組み合わせることができ、線材の露出を回避することができるだけなく、更に、ハンドルの位置を固定させることができる。又は、図２３Ｂに示すように、Ｃ型留め具を利用して本体１０を係止し、線材の巻き付け後の位置を制限し、本体外に滑り出ることないようにする。
【００３５】
図２４〜図２６に示すように、本体１０は、更に、該通口２１の近傍に浅溝１０５を設置し、浅溝１０５の設置により、通口２１の口径を比較的大きくさせ、線材Ｌの尾端が覆う線尾キャップも本体１０に進入させることができ（即ち、浅溝１０５に進入）、この時、線材Ｌの一端は、線尾キャップが制限を受けることによって振動することがなくなる。
【００３６】
図２７に示すように、線材Ｌが完全に展開された後、線材Ｌは、通口２１を経由して貫通することができ、本体１０は、線材Ｌ上に嵌合し、本体１０は、線材Ｌに伴って一ブロック移動することができ、本体１０と線材Ｌが分解することによって本体１０が他の箇所に忘れられることを回避する。
【００３７】
図２８及び図２９に示すように、本体１０上の通口２１は、２つ又は３つに製作することもでき、異なる長さの線材の巻き付け時、その他端の線ヘッドは、最も近い通口２１から進入することができ、異なる線材の長さに適用する目的を達成する。
【００３８】
また、本体１０上に蓋体（図示せず）を更に結合し、収容領域２０を被せ覆うことができ、蓋体上に広告等のパターンを設計し、広告効果を備えさせることができる。
【００３９】
また、図３０に示すように、線材Ｌを巻き付けた後、キーホルダーを有する固定蓋を利用し、線材Ｌの両端を1つに固定することもでき、この固定蓋は、線材Ｌの両端の相対位置を固定することができるだけでなく、それを本体外から容易に離脱しないようにし、結合されたキーホルダーによって、鍵を携帯することに用いることができ、全体の実用性を更に向上させることができる。
【００４０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００４１】
１  線材収納装置
１０  本体
１０１  脚構造収納槽
１０２  ソケット収納槽
１０３  線ヘッド嵌合溝
１１  溝
２０  収容領域
２１  通口
３０  嵌合溝
４０  嵌合ブロック
５０  脚構造
６０  ソケット
７０  線ヘッド収納ブロック
７１  固定溝
Ｌ  線材
Ｂ  繰り返し充電電池
Ｍ  電子装置
【図１】
0003198215.tif 000003
【図２Ａ】
0003198215.tif 000004
【図２Ｂ】
0003198215.tif 000005
【図３】
0003198215.tif 000006
【図４Ａ】
0003198215.tif 000007
【図４Ｂ】
0003198215.tif 000008
【図５】
0003198215.tif 000009
【図６】
0003198215.tif 000010
【図７】
0003198215.tif 000011
【図８Ａ】
0003198215.tif 000012
【図８Ｂ】
0003198215.tif 000013
【図９】
0003198215.tif 000014
【図１０】
0003198215.tif 000015
【図１１】
0003198215.tif 000016
【図１２】
0003198215.tif 000017
【図１３】
0003198215.tif 000018
【図１４】
0003198215.tif 000019
【図１５】
0003198215.tif 000020
【図１６】
0003198215.tif 000021
【図１７】
0003198215.tif 000022
【図１８】
0003198215.tif 000023
【図１９】
0003198215.tif 000024
【図２０】
0003198215.tif 000025
【図２１】
0003198215.tif 000026
【図２２】
0003198215.tif 000027
【図２３Ａ】
0003198215.tif 000028
【図２３Ｂ】
0003198215.tif 000029
【図２４】
0003198215.tif 000030
【図２５】
0003198215.tif 000031
【図２６】
0003198215.tif 000032
【図２７】
0003198215.tif 000033
【図２８】
0003198215.tif 000034
【図２９】
0003198215.tif 000035
【図３０】
0003198215.tif 000036